(57)【要約】  【課題】本発明は、利用者のカラオケによる歌唱の際に背景映像を表示させるカラオケシステムに関し、歌唱者による歌唱中であっても宣伝効果映像の内容を同伴者等の利用者に視聴させて宣伝効果を向上させると共に、宣伝対象に対する購買意欲の喚起させることを目的とする。  【解決手段】選択された楽曲に基づいて当該楽曲コードと関連付けられている宣伝効果映像を宣伝効果映像ＤＢ４３より抽出して、歌唱中の歌詞文字データが表示されている表示手段４５に背景映像として表示させ、その際に、表示ファイル作成手段３８が遠隔入出力端末１４に対して、宣伝アイテム抽出手段４２で特定されたサプライサーバに関連付けられた宣伝アイテムの何れかが選択されたときに、対応のサプライサーバにアクセス可能な状態で表示させる表示ファイルを作成して当該遠隔入出力端末１４に送出して表示させる構成とする。  【選択図】  図２
2007199493.tif 000002
【特許請求の範囲】
【請求項１】
利用者が所定の楽曲を選択した場合に、所定数の楽曲データが格納されている楽曲格納
手段より当該選択された楽曲を抽出して歌詞文字データを表示手段に表示させると共に、演奏データを出力させるカラオケ装置を備えるカラオケシステムであって、
ユーザインタフェース機能を備え、前記カラオケ装置に対して前記利用者に楽曲を選択させる機能を備えるものであると共に、通信ネットワークを介して所定のアクセスサーバとデータ授受の自在な遠隔入出力端末と、
所定数の宣伝アイテムが含まれた宣伝効果映像を所定数格納すると共に、当該宣伝アイテムに関するデータを所定数格納する宣伝効果映像格納手段と、
前記楽曲格納手段に格納されている各楽曲と前記宣伝効果映像格納手段に格納されている各宣伝効果映像とを関連付けたテーブルを備え、背景映像として表示させるための宣伝効果映像を特定する宣伝効果映像特定手段と、
表示される宣伝効果映像に含まれている宣伝アイテムが当該宣伝効果映像と関連付けられたテーブルを備えると共に、当該宣伝アイテムを取り扱う前記アクセスサーバが関連付けられたテーブルを備え、前記選択された楽曲に基づいて宣伝アイテム及び当該アクセスサーバとを特定する宣伝アイテム抽出手段と、
任意の前記宣伝効果映像が表示されている際に、当該宣伝効果映像が含んでいる宣伝アイテムの何れかが選択された場合に、当該選択された宣伝アイテムを取り扱う前記アクセスサーバにアクセス可能な状態で表示させる表示ファイルを作成し、前記遠隔入出力端末に送出する表示ファイル作成手段と、
を有することを特徴とするカラオケシステム。
【請求項２】
請求項１記載のカラオケシステムであって、前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像であることを特徴とするカラオケシステム。
【請求項３】
請求項１記載のカラオケシステムであって、前記宣伝効果映像格納手段に格納されている宣伝効果映像は、前記楽曲格納手段に格納されているそれぞれの楽曲に対し、各楽曲に関連する前記宣伝アイテムそのものの広告映像であることを特徴とするカラオケシステム。
【請求項４】
請求項１〜３の少なくとも何れかに記載のカラオケシステムであって、前記利用者の属性情報と利用者ＩＤとが関連付けられた顧客情報を格納する顧客情報格納手段を備えて当該利用者が当該利用者ＩＤを少なくとも記憶しているＩＣ媒体を用いて所定の楽曲を選択された場合に、
前記宣伝アイテム抽出手段は、前記利用者のＩＤを取得する利用者ＩＤ取得手段、及び当該利用者ＩＤに基づいて前記顧客情報格納手段より当該利用者の所定の属性情報を取得する利用者情報取得手段を備え、
前記表示ファイル作成手段は、前記宣伝アイテムを発注するための発注フォームが所定数格納されている発注フォーム格納手段を備え、前記遠隔入出力端末で表示されている所定の宣伝アイテムが選択された場合に、当該宣伝アイテムに対応する発注フォームを当該発注フォーム格納手段より抽出し、当該発注フォームに前記取得した利用者の所定の属性情報を組み込ませた発注フォームファイルを作成し、当該発注フォームファイルを前記対応のアクセスサーバに当該発注フォームファイルを送信自在にアクセス可能な状態で表示させる表示ファイルを作成して当該遠隔入出力端末に送出することを特徴とするカラオケシステム。
【発明の詳細な説明】
【技術分野】
【０００１】
本発明は、利用者のカラオケによる歌唱の際に背景映像を表示させるカラオケシステムに関する。
【背景技術】
【０００２】
近年、通信カラオケの施設が全国的に広がりを見せ、記録技術の発展や表示装置の発展、また通信技術の発展により利用者に対して種々のサービスを提供することができるようになってきている。このようなカラオケシステムにおいては、歌唱楽曲の背景映像を利用して歌唱行為を喚起し、また、一方で映像提供者側においても背景映像の表示による映像内容についての宣伝効果の向上、宣伝対象に対する購買意欲の喚起が望まれる。
【０００３】
従来、カラオケシステムにおける映像表示で特殊効果を図るものとして、広告映像がある。この広告映像は、単に商品等を表示させるもので、カラオケ利用者の歌唱しているときには、当該歌唱楽曲の背景映像を表示し、楽曲選択前、歌唱楽曲間に時間がある場合や総ての歌唱楽曲が終了した後に、当該広告映像を表示させるものが一般的である。そこで、楽曲歌唱の際にも広告映像を表示させるものが、以下の特許文献で提案されている。
【０００４】
【特許文献１】特開平８−２７２３４１号公報
【特許文献２】特表２００３−５２２４８２号公報
【０００５】
上記特許文献１には、広告端末装置に関して、複数の広告映像群データを複数のジャンルに対応させて分類記憶させておき、カラオケ用映像データをカラオケ用モニタに映し出している時に、カラオケ用モニタとは別の広告用モニタに、カラオケ用映像データの属するジャンルに対応する広告映像群データの中から広告映像データを読み出て映し出すということが開示されている。
【０００６】
また、上記特許文献２には、リモートコントロールユニット上への拡張されたコンテンツ情報の表示方法及びシステムに関して、ビデオ受信機の他にリモートコントロールユニットにディスプレイを備え、リモートコントロールユニットのディスプレイ上に広告等の情報を表示させることが開示されている。
【発明の開示】
【発明が解決しようとする課題】
【０００７】
しかしながら、上記特許文献１，２に提案されているように歌唱用の映像表示とは別の、当該カラオケシステムとは無関係のモニタやディスプレイを用意する必要があって、高価となるという問題があると共に、単に広告映像を表示させるだけであることから関心を示した利用者は新たに広告対象の商品等の詳細を知ろうとする場合には当該商品等を記録しておき、改めて当該商品等を取り扱うサイト等にアクセスしなければならず、購買意欲を減退させることになるという問題がある。
【０００８】
そこで、本発明は上記課題に鑑みなされたもので、歌唱者による歌唱中であっても宣伝効果映像の内容を同伴者等の利用者に視聴させて宣伝効果を向上させると共に、宣伝対象に対する購買意欲の喚起させるカラオケシステムを提供することを目的とする。
【課題を解決するための手段】
【０００９】
上記課題を解決するために、請求項１の発明では、利用者が所定の楽曲を選択した場合に、所定数の楽曲データが格納されている楽曲格納手段より当該選択された楽曲を抽出して歌詞文字データを表示手段に表示させると共に、演奏データを出力させるカラオケ装置を備えるカラオケシステムであって、ユーザインタフェース機能を備え、前記カラオケ装置に対して前記利用者に楽曲を選択させる機能を備えるものであると共に、通信ネットワークを介して所定のアクセスサーバとデータ授受の自在な遠隔入出力端末と、所定数の宣伝アイテムが含まれた宣伝効果映像を所定数格納すると共に、当該宣伝アイテムに関するデータを所定数格納する宣伝効果映像格納手段と、前記楽曲格納手段に格納されている各楽曲と前記宣伝効果映像格納手段に格納されている各宣伝効果映像とを関連付けたテーブルを備え、背景映像として表示させるための宣伝効果映像を特定する宣伝効果映像特定手段と、表示される宣伝効果映像に含まれている宣伝アイテムが当該宣伝効果映像と関連付けられたテーブルを備えると共に、当該宣伝アイテムを取り扱う前記アクセスサーバが関連付けられたテーブルを備え、前記選択された楽曲に基づいて宣伝アイテム及び当該アクセスサーバとを特定する宣伝アイテム抽出手段と、任意の前記宣伝効果映像が表示されている際に、当該宣伝効果映像が含んでいる宣伝アイテムの何れかが選択された場合に、当該選択された宣伝アイテムを取り扱う前記アクセスサーバにアクセス可能な状態で表示させる表示ファイルを作成し、前記遠隔入出力端末に送出する表示ファイル作成手段と、を有する構成とする。
【００１０】
請求項２〜４の発明では、「前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像である」構成であり、
「前記宣伝効果映像格納手段に格納されている宣伝効果映像は、前記楽曲格納手段に格納されているそれぞれの楽曲に対し、各楽曲に関連する前記宣伝アイテムそのものの広告映像である」構成であり、
「前記利用者の属性情報と利用者ＩＤとが関連付けられた顧客情報を格納する顧客情報格納手段を備えて当該利用者が当該利用者ＩＤを少なくとも記憶しているＩＣ媒体を用いて所定の楽曲を選択された場合に、前記宣伝アイテム抽出手段は、前記利用者のＩＤを取得する利用者ＩＤ取得手段、及び当該利用者ＩＤに基づいて前記顧客情報格納手段より当該利用者の所定の属性情報を取得する利用者情報取得手段を備え、前記表示ファイル作成手段は、前記宣伝アイテムを発注するための発注フォームが所定数格納されている発注フォーム格納手段を備え、前記遠隔入出力端末で表示されている所定の宣伝アイテムが選択された場合に、当該宣伝アイテムに対応する発注フォームを当該発注フォーム格納手段より抽出し、当該発注フォームに前記取得した利用者の所定の属性情報を組み込ませた発注フォームファイルを作成し、当該発注フォームファイルを前記対応のアクセスサーバに当該発注フォームファイルを送信自在にアクセス可能な状態で表示させる表示ファイルを作成して当該遠隔入出力端末に送出する」構成である。
【発明の効果】
【００１１】
本発明によれば、選択された楽曲に基づいて当該楽曲と関連付けられている宣伝効果映像を宣伝効果映像格納手段より抽出して、歌唱中の歌詞データが表示されている表示手段に背景映像として表示させ、その際に、遠隔入出力端末に対して、宣伝アイテム抽出手段で特定されたアクセスサーバに関連付けられた宣伝アイテムの何れかが選択されたときに、対応のアクセスサーバにアクセス可能な状態で表示させる表示ファイルを作成して当該遠隔入出力端末に送出して表示させる構成とすることにより、歌唱者による歌唱中であっても宣伝効果映像の内容を同伴者等の利用者に視聴させることができ、単に宣伝効果映像を視聴させるだけでなく、当該所定の宣伝アイテムについて該当のアクセスサーバにアクセス自在とさせることで宣伝効果を向上させることができると共に、宣伝対象に対する購買意欲を喚起させることができるものである。
【発明を実施するための最良の形態】
【００１２】
以下、本発明の最良の実施形態を図により説明する。本実施形態では、宣伝効果映像としてプロダクトプレイスメント映像について説明するが、楽曲格納手段に格納されているそれぞれの楽曲に関連する宣伝アイテムそのものの広告映像であっても同様に適用することができるものである。
【００１３】
図１に、本発明に係るカラオケシステムのネットワーク接続状況の模式図及びカラオケホスト装置のブロック構成図を示す。図１（Ａ）は本発明に係るカラオケシステムのネットワーク接続状況の模式図、図１（Ｂ）はカラオケホスト装置の内部構成の一例のブロック図である。
【００１４】
図１（Ａ）において、カラオケホスト装置１１は、所定数のカラオケ演奏端末１３（１３Ａ〜１３Ｎ）を管理し、当該各端末１３に楽曲データを配信するものであり、各カラオケ演奏端末１３（１３Ａ〜１３Ｎ）では、利用者が所定の楽曲を選択した場合、所定数の楽曲データが格納されている楽曲格納手段より当該選択された楽曲を抽出し、当該楽曲データに含まれる演奏データを出力すると共に、歌詞文字データを表示手段に表示させる。また、当該各カラオケ演奏端末１３は、遠隔入出力端末１４（１４Ａ〜１４Ｎ）を備える。
【００１５】
上記遠隔入出力端末１４はユーザインタフェース機能を備えると共に、後述の楽曲検索手段（図２で説明する）を備える。上記ユーザインタフェース機能は、例えば液晶ディスプレイ（ＬＣＤ）とタッチセンサとを積層した入出力用を可能とし、表示されるアイコン等に対応して当該タッチセンサにより楽曲の選択などのデータを入力することができるＧＵＩである。そして、通信ネットワーク１２を介して所定のアクセスサーバであるサプライサーバ１５（１５Ａ〜１５Ｎ）とデータ授受自在とされている。上記通信ネットワーク１２としては一般公衆電話回線やこれを用いたＡＤＳＬや光通信回線あるいはインターネット、さらには、ＬＡＮなどがある。上記アクセスサーバとしては、商品等の販売や提供を行うサプライサーバ１５の他に、商品等の詳細説明することを専らとするいわゆるコマーシャルサーバもある。
【００１６】
上記カラオケホスト装置１１は、図１（Ｂ）に示すように、少なくとも送受信手段２１、制御手段２２、データ抽出手段２３及び顧客情報格納手段である顧客ＤＢ（顧客データベース）２４を備える。上記送受信手段２１は、各カラオケ演奏端末１３との通信（データ授受）を行うために、通信ネットワーク１２の通信方式と整合性をとるための例えば物理的な通信用回路やプラットフォーム等のソフトウエアにより構成される。
【００１７】
上記制御手段２２は、当該カラオケホスト装置１１を統括的に制御するもので、例えば物理的なＣＰＵに制御のためのプログラムが格納され、当該プログラムが図示しないＲＡＭ等に展開されて実行される。上記データ抽出手段２３は、例えば利用者ＩＤに基づいて、当該利用者の属性情報を顧客ＤＢ２４より抽出して送受信手段２１を介して対応のカラオケ演奏端末１３に送信させるもので、そのためのプログラムを有してＲＡＭ等に展開されて実行されるものである。
【００１８】
上記顧客ＤＢ２４は、各カラオケ演奏端末１３（１３Ａ〜１３Ｎ）の各利用者が、例えば会員として予め属性情報を格納しておくもので、その属性情報としては、例えば、利用者ＩＤ、氏名、セカンドネーム、郵便番号、住所、電話、年齢、性別が含まれ、適宜、登録者の顔写真等のイメージファイル名が関連づけられたものである。当該各イメージファイルは、図示しないが、当該顧客ＤＢ２４に設けられたフォルダに格納される。
【００１９】
本発明のカラオケシステムは、上記遠隔入出力端末１４を備えるカラオケ演奏端末１３で構成され、又は、これらに顧客ＤＢ２４が加えられて構成されるものである。
【００２０】
そこで、図２に、図１のカラオケ演奏端末のブロック構成図を示す。図２に示すカラオケ演奏端末１３は、主要装置としてのカラオケ装置３０を有するもので、バス３１、制御手段３２、ＲＡＭ３３、予約管理手段３４、音楽曲出力手段３５、再生制御手段３６、楽曲ＤＢ（楽曲データベース）３７、表示ファイル作成手段３８、媒体読取手段３９及び送受信手段４０，４１を適宜備え、宣伝アイテム抽出手段４２、宣伝効果映像格納手段である宣伝効果映像ＤＢ４３及び宣伝効果映像特定手段４４を備える。
【００２１】
また、当該カラオケ装置３０に有線及び無線で外部接続されるものとして、表示手段４５、ミキシングアンプ４６、マイク４７、スピーカ４８及び上記遠隔入出力端末１４を備える。そして、上記媒体読取手段３９に対応したＩＤ媒体５０が利用者（顧客）において所持される。なお、上記各構成について、本発明の要旨と直接関連しない要素部分であっても、従前のカラオケ装置においても大部分が適用可能であることを示すために、装置全体を説明する。
【００２２】
制御手段３２は、このシステムを統括的に制御するもので、例えば物理的なＣＰＵに制御のためのプログラムが格納され、当該プログラムはＲＡＭ３３等に展開されて実行される。当該ＲＡＭ３３は、種々のプログラムを展開、実行させるための作業領域としての役割をするものであり、例えば半導体メモリで構成され、仮想的にハードディスク上に構築される場合をも含む概念である。
【００２３】
ここで、相前後するが、楽曲ＤＢ３７は、例えばハードディスク（ＨＤＤ）等の記憶装置であり、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的なデータであり、テロップデータ（ファイル）は演奏データに対応した楽曲の歌詞文字データである。
【００２４】
上記予約管理手段３４は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ３７より曲名やインデックス等を読み出して記憶させておくもので、予約状況を表示させるときには曲名をも含められる。また、当該予約管理手段３４は、ここでは後述の映像抽出処理手段４４で特定された宣伝効果映像（ファイル名）が当該楽曲コードに関連付けられて記憶される。
【００２５】
上記音楽曲出力手段３５は、楽曲コードで楽曲ＤＢ３７より抽出された演奏データをデジタル再生し、アナログ変換してミキシングアンプ４６に出力するもので、そのためのプログラムがＲＡＭ３３に展開されて実行される。当該ミキシングアンプ４６は、マイク４７より入力した歌唱者の歌唱音声と、当該音楽曲出力手段３５より送られてくる演奏データをミキシングし、増幅してスピーカ４８より出力させるものである。
【００２６】
上記再生制御手段３６は、選択されて楽曲ＤＢ３７より抽出された楽曲データのうちのテロップデータ（歌詞文字データ）を当該楽曲の演奏データに同期させて表示手段４５に出力すると共に、特定された宣伝効果映像データを同期させて表示手段４５に出力するもので、そのためのプログラムがＲＡＭ３３に展開されて実行される。当該表示手段４５としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。
【００２７】
上記表示ファイル作成手段３８は、送受信手段４０を介して当該カラオケ装置３０に付帯する遠隔入出力端末１４に表示させるための表示ファイルを作成すると共に、利用者に後述の楽曲検索手段４９で楽曲を選曲させ、また、後述の宣伝アイテム抽出手段４２で特定された上記サプライサーバ１５に関連付けられた宣伝アイテムの何れかが選択されたときに、対応のサプライサーバ１５にアクセス可能な状態で表示させる表示ファイルを作成して当該遠隔入出力端末１４に転送するもので、そのためのプログラムがＲＡＭ３３に展開されて実行される。当該送受信手段４０は、遠隔入出力端末１４との間で有線方式ないし無線方式（ＩＲ方式やブルートゥース機構のピコネット接続方式など）を利用してデータ授受を行うためのもので、そのための回路基板およびプログラムを備える。
【００２８】
上記楽曲検索手段４９は、例えば新曲、歌手名、曲名、ジャンルおよび履歴のそれぞれについての各楽曲情報を備え、当該楽曲名と楽曲コードとが関連付けられたテーブルを備え、利用者によって検索、選択された楽曲コードを、送受信手段４０を介して予約管理手段３４に送信して予約させるものである。
【００２９】
なお、ここでは遠隔入出力端末１４から上記アクセスサーバ１５にアクセス自在とする場合としてカラオケ装置３０を介在させる場合を示すが、上記通信ネットワーク１２に接続させる中継機器を介在させ、当該中継機器に対して無線、有線を問わず接続自在としてもよい。
【００３０】
上記媒体読取手段３９は、利用者が所持するＩＤ媒体５０を読み取る装置である。ＩＤ媒体５０は、少なくとも利用者ＩＤを記憶し、上記媒体読取手段３９と例えば非接触でデータ授受が自在のものである。ＩＤ媒体５０としては、例えば、非接触型のＩＣカードや、携帯電話や小型モバイルコンピュータに内蔵させたＩＣカード機能回路等がある。上記送受信手段４１は、当該カラオケ装置３０と上記通信ネットワーク１２を介してデータ授受を行うためのものであると共に、遠隔入出力端末１４より所定のサプライサーバ１５のサイトにアクセスさせるためのもので、通信方式と整合性をとるための例えば物理的な通信用回路やプラットフォーム等のソフトウエアにより構成されるものである。
【００３１】
ここで、上記宣伝効果映像ＤＢ４３は、所定数の宣伝アイテムが含まれた宣伝効果映像を、上記楽曲ＤＢ３７に格納されている各楽曲（データファイル）に関連付けされて複数格納するもので、当該宣伝効果映像は、当該各楽曲に関連する映像中に宣伝アイテムを組み込ませているプロダクトプレイスメント映像である。また、ここではこれら宣伝効果映像に組み込まれているそれぞれの宣伝アイテムのイメージ画像をも格納される。このプロダクトプレイスメント映像は、従来から、映画やテレビジョン或いはゲームの映像内に、その映像の進行と調和するように、自然の流れの中で企業の商品やサービスを組み込む手法として採用されてきたものであって、利用者にとって違和感なく商品や役務（サービス）を視認して受け入れることができるため、効果的な手法となっているものである。
【００３２】
上記宣伝アイテム抽出手段４２は、少なくとも宣伝アイテム映像対応テーブル５１及び宣伝アイテムサイト対応テーブル５２を備えるもので、選択された楽曲に基づいて宣伝アイテム及びこれを取り扱うサプライサーバ１５のアドレス（ＵＲＬ）を特定する。すなわち、宣伝アイテム映像対応テーブル５１は表示される宣伝効果映像に含まれている宣伝アイテムが当該宣伝効果映像と関連付けられた記憶手段（図３（Ｂ）で説明する）であり、宣伝アイテムサイト対応テーブル５２は宣伝アイテムを取り扱う上記サプライサーバ１５のアドレス（ＵＲＬ）とが関連付けられた記憶手段である。
【００３３】
上記宣伝効果映像特定手段４４は、楽曲格納ＤＢ３７に格納されている各楽曲と宣伝効果映像ＤＢ４３に格納されている各宣伝効果映像とを関連付けた映像対応テーブル（図３（Ａ）で説明する）を備え、歌唱中の歌詞文字データが表示されている表示手段４５に背景映像として表示させるための宣伝効果映像を特定するためのもので、そのための記憶手段及びプログラムを備える。
【００３４】
なお、図示しないが、当該カラオケ装置３０には演奏楽曲、歌唱音声に対する種々の調節を行うボタンやツマミ類が可変抵抗器等の電子素子に直結された操作パネルも接続され、当該操作パネルはエコーや左右バランス、スピーカ４８からの出力音量のボリウム等を備える。ところで、上記顧客ＤＢ２４を、カラオケ装置３０に備えさせ、又は当該カラオケ装置３０に接続させてもよい。また、逆に、上記楽曲ＤＢ３７、宣伝効果映像ＤＢ４３の何れか、又は両方を、適宜カラオケホスト装置１１に備えさせ、若しくは当該カラオケホスト装置１１に接続させる構成としてもよいものである。
【００３５】
また、図３に図２の宣伝効果映像特定手段の備える映像対応テーブル及び宣伝アイテム抽出手段の備える宣伝アイテム映像対応テーブルの説明図を示すと共に、図４に図２の宣伝アイテム抽出手段の備える宣伝アイテムサイト対応テーブルの説明図を示す。図３（Ａ）は宣伝効果映像特定手段４４の備える映像対応テーブル４４Ａであり、楽曲データを特定する楽曲コードと、宣伝効果映像ＤＢ４３に格納されている宣伝効果映像データ（ファイル名）とが関連付けられたものであり、利用者が選択した楽曲の楽曲コードに基づいて映像表示する宣伝効果映像を特定させるためのものである。
【００３６】
図３（Ｂ）は、宣伝アイテム抽出手段４２に備えられる宣伝アイテム映像対応テーブル５１であり、宣伝効果映像のデータファイルと、当該宣伝効果映像に組み込まれた所定数の宣伝アイテムとが関連付けられたものである。また、図４は、宣伝効果映像に組み込まれた各宣伝アイテムと、当該各宣伝アイテムのイメージ画像のファイル名と、当該各宣伝アイテムを取り扱うサプライ側が通信ネットワーク１２上に設けている各サプライサーバ１５のサイトアドレス（ＵＲＬ）とが関連付けられたものである。
【００３７】
そこで、図５に、図２のカラオケ演奏端末における宣伝効果映像再生に関する処理フローチャートを示す。まず、利用者が遠隔入出力端末１４の楽曲検索手段４９により楽曲の選択要求があり（ステップ（Ｓ）１）、楽曲の選択が終了すると（Ｓ２）、選択対象の楽曲コードに基づいて、宣伝効果映像特定手段４４の映像対応テーブル５１を参照して、対応の宣伝効果映像ファイル名を特定する（Ｓ３）。続いて、予約管理手段３４が当該選択された楽曲コード及びこれに関連付けて上記特定された宣伝効果映像ファイル名を順番に記憶する（Ｓ４）。
【００３８】
そして、順番で音楽曲再生を行う際（Ｓ５）、予約管理手段３４に記憶されている楽曲コードに基づいて、該当の楽曲データが楽曲ＤＢ３７より抽出され、演奏データが音楽曲出力手段３５に送出されると共に、歌詞文字データが表示手段４５に送出され、また、当該楽曲コードに関連付けられた宣伝効果映像ファイルが宣伝効果映像ＤＢ４３より抽出されて再生制御手段３６に送出されると共に、宣伝効果映像ファイル名を宣伝アイテム抽出手段４２に送出する（Ｓ６）。そして、当該楽曲データがミキシングアンプ４６を介してスピーカ４８より再生出力されると共に、これに同期させて歌詞文字データ及び該当の宣伝効果映像が再生制御手段３６で合成されて表示手段４５より背景映像として再生されるものである（Ｓ７）。
【００３９】
続いて、図６に図２のカラオケ演奏端末における遠隔入出力端末による宣伝アイテム表示の処理フローチャートを示すと共に、図７に図２のカラオケ演奏端末における遠隔入出力端末による宣伝アイテム表示の説明図を示す。図６において、宣伝アイテム抽出手段４２では、予約管理手段３４より宣伝効果映像ファイル名を入力すると（Ｓ１１）、当該宣伝効果映像ファイル名に基づいて、宣伝アイテム映像対応テーブル５１を参照して所定数の宣伝アイテムを特定し、当該各宣伝アイテムに基づいて宣伝アイテムサイト対応テーブル５２を参照してそれぞれの宣伝アイテムのイメージ画像のファイル名と当該宣伝アイテムを取り扱うサプライサーバ１５のサイトアドレス（ＵＲＬ）を関連付けて表示ファイル作成手段３８に送出する（Ｓ１２）。
【００４０】
表示ファイル作成手段３８が、それぞれの宣伝アイテムの画像を宣伝効果映像ＤＢ４３より抽出し、当該宣伝アイテムの画像と当該宣伝アイテムのサイトのＵＲＬをハイパーリンク状態とした表示ファイルを作成して遠隔入出力端末１４に送出する（Ｓ１３）。遠隔入出力端末１４では、送られてきた表示ファイルを、例えば図７に示すように、それぞれの宣伝アイテム画像をサムネイル形態で表示する（Ｓ１４）。
【００４１】
そこで、利用者が、遠隔入出力端末１４において、それぞれサムネイル形態で表示させた各宣伝アイテム画像のうち、一の宣伝アイテム画像が指定されたときに、例えば図７に示すようにサイトＵＲＬを浮き上がらせる表示を行い、これが選択されたときに、関連付けられたＵＲＬに対応したサイトに送受信手段４０，４１及び通信ネットワーク１２を介して当該サイトのサプライサーバ１５にアクセスされる（Ｓ１５）。そして、遠隔入出力端末１４では、当該サイトのサプライサーバ１５より送られてきた当該宣伝アイテムに関する表示ファイルを表示するものである（Ｓ１６）。
【００４２】
このように、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に表示させ、所望の宣伝アイテムについて該当のサプライサーバ１５にアクセス自在とさせることで宣伝効果を向上させることができると共に、宣伝対象に対する購買意欲を喚起させることができるものである。
【００４３】
次に、図８に、図１のカラオケ演奏端末における宣伝アイテム抽出手段及び表示ファイル作成手段の他の構成のブロック構成図を示す。図８において、表示ファイル作成手段３８は、所定の宣伝アイテムを利用者が注文可能とするために、その記憶領域に上記各サプライサーバ１５に応じたそれぞれの発注フォームファイルが格納された発注フォーム格納手段６１を備える。
【００４４】
また、宣伝アイテム抽出手段４２は、上記構成の他に、利用者ＩＤ取得手段６２及び利用者情報取得手段６３を備える。上記利用者ＩＤ取得手段６２は、利用者の楽曲選択に際してＩＤ媒体５０より読み取った利用者ＩＤを、例えば媒体読取手段３９より取得しておくもので、そのためのプログラムを備える。上記利用者属性特定手段５２は、上記取得した利用者ＩＤに基づいてカラオケホスト装置１１の備える顧客ＤＢ２４より当該利用者の属性情報を取得し、当該属性情報のうちの所定の情報（住所、氏名、年齢、クレジットカード番号等の属性情報）を特定して記憶しておくもので、そのためのプログラムを備えるものである。
【００４５】
そこで、図９に、図８のカラオケ演奏端末における宣伝効果映像再生に関する処理フローチャートを示す。図９において、利用者がカラオケ装置３０の媒体読取手段３９に利用者所有のＩＤ媒体を提示し、遠隔入出力端末１４により利用者による楽曲の選択要求があり（Ｓ２１）、楽曲の選択が終了すると（Ｓ２２）、選択対象の楽曲コードに基づいて、宣伝効果映像特定手段４４の映像対応テーブル４４Ａを参照して、対応の宣伝効果映像ファイル名を特定する（Ｓ２３）。続いて、予約管理手段３４が当該選択された楽曲コード、当該楽曲コードより楽曲ＤＢ３７より読み出した曲名及びこれに関連付けて上記特定された宣伝効果映像ファイル名を順番に記憶すると共に、対応の利用者ＩＤを記憶する（Ｓ２４）。
【００４６】
順番で音楽曲再生を行う際（Ｓ２５）、予約管理手段３４に記憶されている楽曲コードに基づいて、該当の楽曲データが楽曲ＤＢ３７より抽出され、演奏データが音楽曲出力手段３５に送出されると共に、歌詞文字データが表示手段４５に送出され、また、当該楽曲コードに関連付けられた宣伝効果映像ファイルが宣伝効果映像ＤＢ４３より抽出されて再生制御手段３６に送出されると共に、宣伝効果映像ファイル名及び利用者ＩＤを宣伝アイテム抽出手段４２に送出する（Ｓ２６）。
【００４７】
そして、ミキシングアンプ４６を介して楽曲データがスピーカ４８より再生出力されると共に、これに同期されて歌詞文字データ及び該当の宣伝効果映像データが再生制御手段３６で合成されて背景映像として表示手段４５より再生されるものである（Ｓ２７）。
【００４８】
続いて、図１０に、図８のカラオケ演奏端末における遠隔入出力端末による宣伝アイテム発注表示の処理フローチャートを示す。図１０において、宣伝アイテム抽出手段４２では、予約管理手段３４より宣伝効果映像ファイル名及び利用者ＩＤを入力する（Ｓ３１）。入力した当該宣伝効果映像ファイル名に基づいて、宣伝アイテム映像対応テーブルを参照して所定数の宣伝アイテムを特定し、当該各宣伝アイテムに基づいて宣伝アイテムサイト対応テーブルを参照してそれぞれの宣伝アイテムとサイト情報を関連付けて表示ファイル作成手段３８に送出すると共に、入力した利用者ＩＤに基づいてカラオケホスト装置の備える顧客ＤＢより当該利用者の氏名、年齢、性別、住所、電話番号、クレジットカード番号等の利用者属性情報を要求して取得する（Ｓ３２）。
【００４９】
表示ファイル作成手段３８では、それぞれの宣伝アイテムの画像を宣伝効果映像ＤＢ４３より抽出し、当該宣伝アイテムの画像を表示させる表示ファイルを作成して遠隔入出力端末１４に送出する（Ｓ３３）。遠隔入出力端末１４では、送られてきた表示ファイルを、それぞれの宣伝アイテムについてサムネイル形態で表示する（Ｓ３４）。そして、利用者によってそれぞれサムネイル形態で表示させた各宣伝アイテムのうち、一の宣伝アイテムが指定・選択されたときに、当該選択された宣伝アイテムの情報を表示ファイル作成手段３８に送出する（Ｓ３５）。
【００５０】
表示ファイル作成手段３８では、当該選択された宣伝アイテムに対応する発注フォームを発注フォーム格納手段６１より抽出し、当該フォームの対応箇所に宣伝アイテム名（商品名等）及び取得した利用者の住所、氏名、年齢、性別、電話番号及びクレジットカード番号の属性情報を埋め込んだ発注フォームとして、当該宣伝アイテムに対応するサプライサーバ１５のサイトアドレス（ＵＲＬ）を関連付けた発注フォームファイルを作成して遠隔入出力端末１４に送出する（Ｓ３６）。
【００５１】
そして、遠隔入出力端末１４では、当該宣伝アイテム対応のサプライサーバ１５に対して当該発注フォームファイルを送信可能状態で、表示ファイル作成手段３８より送られてきた上記発注フォームファイルを表示するものである。（Ｓ３７）。
【００５２】
このように、上記同様に、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に表示させ、また所望の宣伝アイテムについて発注フォームファイルを表示させ、該当のサプライサーバ１５に発注フォームファイルを送信可能なアクセス自在とさせることで宣伝効果を向上させることができると共に、宣伝対象に対する購買意欲を喚起させることができるものである。
【産業上の利用可能性】
【００５３】
本発明のカラオケシステムは、利用者のカラオケによる歌唱の際に選択された宣伝効果映像を表示出力する場合に適する。
【図面の簡単な説明】
【００５４】
【図１】本発明に係るカラオケシステムのネットワーク接続状況の模式図及びカラオケホスト装置のブロック構成図である。
【図２】図１のカラオケ演奏端末のブロック構成図である。
【図３】図２の宣伝効果映像特定手段の備える映像対応テーブル及び宣伝アイテム抽出手段の備える宣伝アイテム映像対応テーブルの説明図である。
【図４】図２の宣伝アイテム抽出手段の備える宣伝アイテムサイト対応テーブルの説明図である。
【図５】図２のカラオケ演奏端末における宣伝効果映像再生に関する処理フローチャートである。
【図６】図２のカラオケ演奏端末における遠隔入出力端末による宣伝アイテム表示の処理フローチャートである。
【図７】図２のカラオケ演奏端末における遠隔入出力端末による宣伝アイテム表示の説明図である。
【図８】図１のカラオケ演奏端末における宣伝アイテム抽出手段及び表示ファイル作成手段の他の構成のブロック構成図である。
【図９】図８のカラオケ演奏端末における宣伝効果映像再生に関する処理フローチャートである。
【図１０】図８のカラオケ演奏端末における遠隔入出力端末による宣伝アイテム発注表示の処理フローチャートである。
【符号の説明】
【００５５】
１１            カラオケホスト装置
１２            通信ネットワーク
１３            カラオケ演奏端末
１４            遠隔入出力端末
１５            サプライサーバ
２４            顧客ＤＢ
３０            カラオケ装置
３７            楽曲ＤＢ
３８            表示ファイル作成手段
４２            宣伝アイテム抽出手段
４３            宣伝効果映像ＤＢ
４４            宣伝効果映像特定手段
５１            宣伝アイテム映像対応テーブル
５２            宣伝アイテムサイト対応テーブル
６１            発注フォーム格納手段
【図１】
2007199493.tif 000003
【図２】
2007199493.tif 000004
【図３】
2007199493.tif 000005
【図４】
2007199493.tif 000006
【図５】
2007199493.tif 000007
【図６】
2007199493.tif 000008
【図７】
2007199493.tif 000009
【図８】
2007199493.tif 000010
【図９】
2007199493.tif 000011
【図１０】
2007199493.tif 000012